(57)【特許請求の範囲】
【請求項１】
逐次日時を計時する計時手段と、
データとこのデータが書き込まれた日時情報とを対応付けて記憶するとともに、自己を認識させるための識別情報を記憶する外部記録媒体と接続する接続手段と、
この接続手段によって接続した前記外部記録媒体に所定の処理を施したデータを書き込む書込手段と、
この書込手段によって前記データを書き込んだ前記外部記録媒体の識別情報と前記計時手段によって計時された前記データを書き込んだ日時を示す日時情報とを対応付けて記憶する識別情報記憶手段と、
報知手段と、
前記接続手段による前記外部記録媒体との接続を検出する接続検出手段と、
この接続検出手段によって検出された前記外部記録媒体に記憶されている識別情報と、前記識別情報記憶手段に記憶されている識別情報とを照合する照合手段と、
この照合手段による照合の結果、前記接続検出手段によって検出された前記外部記録媒体が、前記書込手段によってデータを書き込んだ外部記録媒体であると判断すると、前記計時手段によって計時される日時と前記識別情報記憶手段に記憶された日時情報とを比較する比較手段と、
この比較手段による比較結果に基づいて、前記報知手段を制御する報知制御手段と
を備えたことを特徴とする外部記録媒体管理装置。
【請求項２】
前記識別記憶手段は、前記識別情報に対応付けて、前記書き込んだデータの概要を更に記憶し、
前記報知手段は、前記概要を出力する出力手段を含み、
前記報知制御手段は、前記比較手段による比較結果に基づいて、前記出力手段によって出力される前記概要の出力形態を変更することを特徴とする請求項１に記載の外部記録媒体管理装置。
【請求項３】
データとこのデータが書き込まれた日時情報とを対応付けて記憶するとともに、自己を認識させるための識別情報を記憶する外部記録媒体と接続する接続手段と、
この接続手段によって接続した前記外部記録媒体に所定の処理を施したデータを書き込む書込手段と、
この書込手段によって前記データを書き込んだ前記外部記録媒体の識別情報と前記書き込んだデータの概要とを対応付けて記憶する識別情報記憶手段と、
逐次日時を計時する計時手段と、
前記概要を出力する出力手段と、
前記接続手段による前記外部記録媒体との接続を検出する接続検出手段と、
この接続検出手段によって検出された前記外部記録媒体に記憶されている識別情報と、前記識別情報記憶手段に記憶されている識別情報とを照合する照合手段と、
この照合手段による照合の結果、前記接続検出手段によって検出された前記外部記録媒体が、前記書込手段によってデータを書き込んだ外部記録媒体であると判断すると、前記計時手段によって計時される日時と前記外部記録媒体に記憶されている日時情報とを比較する比較手段と、
この比較手段による比較結果に基づいて、前記出力手段によって出力される前記概要の出力形態を変更するよう制御する出力制御手段と
を備えたことを特徴とする外部記録媒体管理装置。
【請求項４】
前記接続手段は、前記外部記録媒体とワイヤレスで接続することを特徴とする請求項１乃至３のいずれかに記載の外部記録媒体管理装置。
【請求項５】
更に、撮像手段を備えており、
前記書込手段は、前記撮像手段によって撮像された画像をデータ処理して前記外部記録媒体に書き込むことを特徴とする請求項１乃至４のいずれかに記載の外部記録媒体管理装置。
【請求項６】
記憶部及び報知部を備えた電子機器による外部記録媒体を管理する外部記録媒体管理方法であって、
逐次日時を計時する計時ステップと、
データとこのデータが書き込まれた日時情報とを対応付けて記憶するとともに、自己を認識させるための識別情報を記憶する外部記録媒体が接続されたことを検出する接続検出ステップと、
接続された前記外部記録媒体に所定の処理を施したデータを書き込む書込ステップと、
前記データを書き込んだ前記外部記録媒体の識別情報と、前記計時手段によって計時された前記データを書き込んだ日時を示す日時情報とを対応付けて前記記憶部に記憶する識別情報記憶ステップと、
前記接続された外部記録媒体に記憶されている識別情報と、前記記憶部に記憶されている識別情報とを照合する照合ステップと、
この照合の結果、前記接続された外部記録媒体が、前記書込ステップでデータを書き込んだ外部記録媒体であると判断すると、前記計時ステップで計時される日時と前記識別情報記憶ステップにて記憶された日時情報とを比較する比較ステップと、
この比較結果に基づいて、報知部の動作を制御する報知制御ステップと
を含むことを特徴とする外部記録媒体管理方法。
【請求項７】
記憶部及び報知部を備えた電子機器による外部記録媒体を管理する外部記録媒体管理方法であって、
データとこのデータが書き込まれた日時情報とを対応付けて記憶するとともに、自己を認識させるための識別情報を記憶する外部記録媒体が接続されたことを検出する接続検出ステップと、
接続された前記外部記録媒体に所定の処理を施したデータを書き込む書込ステップと、
前記データを書き込んだ前記外部記録媒体の識別情報と前記書き込んだデータの概要とを対応付けて前記記憶部に記憶する識別情報記憶ステップと、
逐次日時を計時する計時ステップと、
前記接続された外部記録媒体に記憶されている識別情報と、前記記憶部に記憶されている識別情報とを照合する照合ステップと、
この照合の結果、前記接続された外部記録媒体が、前記書込ステップでデータを書き込んだ外部記録媒体であると判断すると、前記計時ステップで計時される日時と前記外部記録媒体に記憶されている日時情報とを比較する比較ステップと、
この比較結果に基づいて、前記概要を出力する出力部の出力形態を変更するよう制御する出力制御ステップと
を含むことを特徴とする外部記録媒体管理方法。
【請求項８】
記憶部及び報知部を備えた電子機器が有するコンピュータを、
逐次日時を計時する計時手段、
データとこのデータが書き込まれた日時情報とを対応付けて記憶するとともに、自己を認識させるための識別情報を記憶する外部記録媒体が接続されたことを検出する接続検出手段、
接続された前記外部記録媒体に所定の処理を施したデータを書き込む書込手段、
この書込手段によって前記データを書き込んだ前記外部記録媒体の識別情報と、前記計時手段によって計時された前記データを書き込んだ日時を示す日時情報とを対応付けて前記記憶部に記憶する識別情報記憶手段、
前記接続された外部記録媒体に記憶されている識別情報と、前記記憶部に記憶されている識別情報とを照合する照合手段、
この照合の結果、前記接続された外部記録媒体が、前記書込手段によってデータを書き込んだ外部記録媒体であると判断すると、前記計時手段によって計時される日時と前記識別情報記憶手段に記憶された日時情報とを比較する比較手段、
この比較結果に基づいて、報知部の動作を制御する報知制御手段
として機能させることを特徴とするプログラム。
【請求項９】
記憶部及び報知部を備えた電子機器が有するコンピュータを、
データとこのデータが書き込まれた日時情報とを対応付けて記憶するとともに、自己を認識させるための識別情報を記憶する外部記録媒体が接続されたことを検出する接続検出手段、
接続された前記外部記録媒体に所定の処理を施したデータを書き込む書込手段、
この書込手段によって前記データを書き込んだ前記外部記録媒体の識別情報と前記書き込んだデータの概要とを対応付けて前記記憶部に記憶する識別情報記憶手段、
逐次日時を計時する計時手段、
前記接続された外部記録媒体に記憶されている識別情報と、前記記憶部に記憶されている識別情報とを照合する照合手段、
この照合の結果、前記接続された外部記録媒体が、前記書込手段によってデータを書き込んだ外部記録媒体であると判断すると、前記計時手段によって計時される日時と前記外部記録媒体に記憶されている日時情報とを比較する比較手段、
この比較結果に基づいて、前記概要を出力する出力部の出力形態を変更するよう制御する出力制御手段
として機能させることを特徴とするプログラム。
【発明の詳細な説明】
【技術分野】
【０００１】
本発明は、外部記録媒体管理システム、外部記録媒体管理装置、外部記録媒体の管理方法、及びプログラムに関する。
【背景技術】
【０００２】
従来より、ビデオカメラにおいて、ビデオテープのＩＤと対応付けてメモリカードに記録した画像（静止画像）を記憶しておくことで、ビデオテープ挿入時、どのような映像を収録したかを分かるようにした技術が提案されている（例えば、特許文献１参照）。
【０００３】
【特許文献１】特開２００６−４１５６５号公報
【発明の開示】
【発明が解決しようとする課題】
【０００４】
しかしながら、上記の如く外部記録媒体（ビデオテープ）に記録されたデータの内容を他の記録媒体（メモリカード）を含め、上記外部記録媒体以外で管理する場合、例えば、他のビデオカメラによって上記外部記録媒体のデータが書き換えられてしまうケースが考えられる。このようなケースにおいては、上記従来技術の管理方法であっても、外部記録媒体に記録されたデータの管理ができなくなるという問題が発生する。
【０００５】
そこで本発明は、外部記録媒体に記録されているデータを簡単に確認することができる外部記録媒体管理装置、外部記録媒体の管理方法、及びプログラムを提供することを目的とする。
【課題を解決するための手段】
【００１１】
上記目的達成のため、請求項１記載の発明は、逐次日時を計時する計時手段と、データとこのデータが書き込まれた日時情報とを対応付けて記憶するとともに、自己を認識させるための識別情報を記憶する外部記録媒体と接続する接続手段と、この接続手段によって接続した前記外部記録媒体に所定の処理を施したデータを書き込む書込手段と、この書込手段によって前記データを書き込んだ前記外部記録媒体の識別情報と、前記計時手段によって計時された前記データを書き込んだ日時を示す日時情報とを対応付けて記憶する識別情報記憶手段と、報知手段と、前記接続手段による前記外部記録媒体との接続を検出する接続検出手段と、この接続検出手段によって検出された前記外部記録媒体に記憶されている識別情報と、前記識別情報記憶手段に記憶されている識別情報とを照合する照合手段と、この照合手段による照合の結果、前記接続検出手段によって検出された前記外部記録媒体が、前記書込手段によってデータを書き込んだ外部記録媒体であると判断すると、前記計時手段によって計時される日時と前記識別情報記憶手段に記憶された日時情報とを比較する比較手段と、この比較手段による比較結果に基づいて、前記報知手段を制御する報知制御手段とを備えたことを特徴とする。
【００１３】
また、請求項２記載の発明は、上記請求項１に記載の発明において、前記識別記憶手段は、前記識別情報に対応付けて、前記書き込んだデータの概要を更に記憶し、前記報知手段は、前記概要を出力する出力手段を含み、前記報知制御手段は、前記比較手段による比較結果に基づいて、前記出力手段によって出力される前記概要の出力形態を変更することを特徴とする。
また、請求項３記載の発明は、データとこのデータが書き込まれた日時情報とを対応付けて記憶するとともに、自己を認識させるための識別情報を記憶する外部記録媒体と接続する接続手段と、この接続手段によって接続した前記外部記録媒体に所定の処理を施したデータを書き込む書込手段と、この書込手段によって前記データを書き込んだ前記外部記録媒体の識別情報と前記書き込んだデータの概要とを対応付けて記憶する識別情報記憶手段と、逐次日時を計時する計時手段と、前記概要を出力する出力手段と、前記接続手段による前記外部記録媒体との接続を検出する接続検出手段と、この接続検出手段によって検出された前記外部記録媒体に記憶されている識別情報と、前記識別情報記憶手段に記憶されている識別情報とを照合する照合手段と、この照合手段による照合の結果、前記接続検出手段によって検出された前記外部記録媒体が、前記書込手段によってデータを書き込んだ外部記録媒体であると判断すると、前記計時手段によって計時される日時と前記外部記録媒体に記憶されている日時情報とを比較する比較手段と、この比較手段による比較結果に基づいて、前記出力手段によって出力される前記概要の出力形態を変更するよう制御する出力制御手段とを備えたことを特徴とする。
【００１４】
また、請求項４記載の発明は、上記請求項１乃至３のいずれかに記載の発明において、前記接続手段は、前記外部記録媒体とワイヤレスで接続することを特徴とする。
【００１５】
また、請求項５記載の発明は、上記請求項１乃至４のいずれかに記載の発明において、更に、撮像手段を備えており、前記書込手段は、前記撮像手段によって撮像された画像をデータ処理して前記外部記録媒体に書き込むことを特徴とする。
【００１６】
また、請求項６記載の発明は、記憶部及び報知部を備えた電子機器による外部記録媒体を管理する外部記録媒体管理方法であって、逐次日時を計時する計時ステップと、データとこのデータが書き込まれた日時情報とを対応付けて記憶するとともに、自己を認識させるための識別情報を記憶する外部記録媒体が接続されたことを検出する接続検出ステップと、接続された前記外部記録媒体に所定の処理を施したデータを書き込む書込ステップと、前記データを書き込んだ前記外部記録媒体の識別情報と、前記計時手段によって計時された前記データを書き込んだ日時を示す日時情報とを対応付けて前記記憶部に記憶する識別情報記憶ステップと、前記接続された外部記録媒体に記憶されている識別情報と、前記記憶部に記憶されている識別情報とを照合する照合ステップと、この照合の結果、前記接続された外部記録媒体が、前記書込ステップでデータを書き込んだ外部記録媒体であると判断すると、前記計時ステップで計時される日時と前記識別情報記憶ステップにて記憶された日時情報とを比較する比較ステップと、この比較結果に基づいて、報知部の動作を制御する報知制御ステップとを含むことを特徴とする。
また、請求項７記載の発明は、記憶部及び報知部を備えた電子機器による外部記録媒体を管理する外部記録媒体管理方法であって、データとこのデータが書き込まれた日時情報とを対応付けて記憶するとともに、自己を認識させるための識別情報を記憶する外部記録媒体が接続されたことを検出する接続検出ステップと、接続された前記外部記録媒体に所定の処理を施したデータを書き込む書込ステップと、前記データを書き込んだ前記外部記録媒体の識別情報と前記書き込んだデータの概要とを対応付けて前記記憶部に記憶する識別情報記憶ステップと、逐次日時を計時する計時ステップと、前記接続された外部記録媒体に記憶されている識別情報と、前記記憶部に記憶されている識別情報とを照合する照合ステップと、この照合の結果、前記接続された外部記録媒体が、前記書込ステップでデータを書き込んだ外部記録媒体であると判断すると、前記計時ステップで計時される日時と前記外部記録媒体に記憶されている日時情報とを比較する比較ステップと、この比較結果に基づいて、前記概要を出力する出力部の出力形態を変更するよう制御する出力制御ステップとを含むことを特徴とする。
【００１７】
また、請求項８記載の発明は、記憶部及び報知部を備えた電子機器が有するコンピュータを、逐次日時を計時する計時手段、データとこのデータが書き込まれた日時情報とを対応付けて記憶するとともに、自己を認識させるための識別情報を記憶する外部記録媒体が接続されたことを検出する接続検出手段、接続された前記外部記録媒体に所定の処理を施したデータを書き込む書込手段、この書込手段によって前記データを書き込んだ前記外部記録媒体の識別情報と、前記計時手段によって計時された前記データを書き込んだ日時を示す日時情報とを対応付けて前記記憶部に記憶する識別情報記憶手段、前記接続された外部記録媒体に記憶されている識別情報と、前記記憶部に記憶されている識別情報とを照合する照合手段、この照合の結果、前記接続された外部記録媒体が、前記書込手段によってデータを書き込んだ外部記録媒体であると判断すると、前記計時手段によって計時される日時と前記識別情報記憶手段に記憶された日時情報とを比較する比較手段、この比較結果に基づいて、報知部の動作を制御する報知制御手段として機能させることを特徴とする。
また、請求項９記載の発明は、記憶部及び報知部を備えた電子機器が有するコンピュータを、データとこのデータが書き込まれた日時情報とを対応付けて記憶するとともに、自己を認識させるための識別情報を記憶する外部記録媒体が接続されたことを検出する接続検出手段、接続された前記外部記録媒体に所定の処理を施したデータを書き込む書込手段、この書込手段によって前記データを書き込んだ前記外部記録媒体の識別情報と前記書き込んだデータの概要とを対応付けて前記記憶部に記憶する識別情報記憶手段、逐次日時を計時する計時手段、前記接続された外部記録媒体に記憶されている識別情報と、前記記憶部に記憶されている識別情報とを照合する照合手段、この照合の結果、前記接続された外部記録媒体が、前記書込手段によってデータを書き込んだ外部記録媒体であると判断すると、前記計時手段によって計時される日時と前記外部記録媒体に記憶されている日時情報とを比較する比較手段、この比較結果に基づいて、前記概要を出力する出力部の出力形態を変更するよう制御する出力制御手段として機能させることを特徴とする。
【発明の効果】
【００１８】
この発明によれば、計時手段によって計時される日時と外部記録媒体に記録されている日時情報とを比較し、該比較結果に基づいて、報知手段を制御するようにしたので、ユーザは、外部記録媒体に記録されているデータを誤認することなく管理することができるという利点が得られる。
【発明を実施するための最良の形態】
【００１９】
以下、本発明の実施の形態を、図面を参照して説明する。
【００２０】
Ａ．第１実施形態
Ａ−１．第１実施形態の構成
図１は、本発明の第１実施形態によるデジタルカメラの構成を示すブロック図である。図において、画像取得部１０は、レンズ１１、シャッタ１２、ＬＰＦ１３からなる。レンズ１１は、通常の光学レンズであり、非球面レンズを重ねたレンズ群からなる。シャッタ１２は、シャッタボタンが操作されると、制御部２０によって駆動されるドライバ１４により動作する、所謂メカニカルシャッタである。なお、デジタルカメラによっては、メカニカルシャッタを備えない場合もあり、沈胴式のレンズ構造、メカニカルズームを搭載する機種の場合、これらの駆動制御もドライバ１４で行う。ＬＰＦ１３は、水晶ローパスフィルタであり、モアレの発生を防ぐために搭載されている。
【００２１】
次に、アナログ信号処理部１５は、撮像センサ（ＣＣＤ，ＣＭＯＳ）１６、サンプリング／信号増幅処理部１７、Ａ／Ｄコンバータ１８からなる。撮像センサ１６は、被写体画像（イメージ）を結像し、ＲＧＢの各色の光の強さを、電流値に変換する。サンプリング／信号増幅処理部１７は、ノイズや色むらを抑えるための相関二重サンプリング処理や信号増幅処理を行う。Ａ／Ｄコンバータ１８は、アナログフロントエンドとも呼ばれ、サンプリング・増幅したアナログ信号をデジタル信号に変換する（ＲＧＢ，ＣＭＹＧ各色について１２ｂｉｔデータに変換してバスラインに出力する）。
【００２２】
次に、制御部（ＣＰＵ）２０は、後述するプログラムメモリ格納されるプログラムに従ってデジタルカメラ１（撮像装置）の全体を制御する。特に、本第１実施形態では、後述する外部記録媒体３３へのデータ書込み、外部記録媒体３３の識別、外部記録媒体３３の更新日時の確認、外部記録媒体３３に記録されている画像データのサムネイル作成、表示などを制御する。
【００２３】
プレビューエンジン２２は、記録モード（撮影モード）において、画像取得部１０、アナログ信号処理部１５を介して入力されたデジタルデータ、もしくはシャッタ操作検出直後、イメージバッファ２６に格納されたデジタルデータ、および、画像メモリ３１に格納されたデジタルデータを表示部２５に表示させるために間引き処理を行う。Ｄ／Ａコンバータ２３は、プレビューエンジン２２により間引き処理されたデジタルデータを変換し、後段のドライバ２４に出力する。
【００２４】
ドライバ２４は、後段の表示部２５に表示されるデジタルデータを一時記憶するバッファ領域を備え、キー操作部２７、制御部２０を介して入力された制御信号に基づいて表示部２５を駆動させる。表示部２５は、カラーＴＦＴ液晶や、ＳＴＮ液晶などからなり、プレビュー画像や、撮影後の画像データ、設定メニューなどを表示する。特に、本第１実施形態では、外部記録媒体３３に記録されている画像データのサムイルなどを表示する。
【００２５】
イメージバッファ２６は、アナログ信号処理部１５、もしくはデジタル信号処理部２８を介して入力され、デジタル信号処理部２８に渡すまで一時的に撮影直後のデジタルデータを格納する。キー操作部２７は、シャッタボタンや、記録／再生モード選択スライドスイッチ、メニューボタン、十字キー（中央押しで決定）などからなる。また、入力手段として、タッチパネル２７１を備えている。該タッチパネル２７１は、表示部２５の前面に設けられており、表示部２５の表示に連動させた各種入力を可能にする。
【００２６】
デジタル信号処理部２８は、アナログ信号処理部１５を介して入力されたデジタルデータに対して、ホワイトバランス処理や、色処理、階調処理、輸郭強調、ＲＧＢ形式からＹＵＶ形式への変換、ＹＵＶ形式からＪＰＥＧ形式への変換、親画像（オリジナル画像）から子画像（縮小画像）の生成などを行う。画像圧縮／伸張処理部２９は、デジタル信号処理部２８を介して入力されたデジタルデータをＪＰＥＧ方式に圧縮符号化したり、モーションＪＰＥＧ形式の動画ファイルを生成したり、モーションＪＰＥＧ形式の動画ファイルをＭＰＥＧ形式の動画ファイルに変換したり、再生モードにおいては、ＪＰＥＧ形式、モーションＪＰＥＧ形式、あるいはＭＰＥＧ形式の動画ファイルを伸張したりする。
【００２７】
プログラムメモリ３０は、制御部２０にロードされる各種プログラムや、ベストショット機能におけるＥＶ値、色補正情報などを格納する。画像メモリ３１は、イメージバッファ２６に一時的に保持された画像データや、各種ファイル形式に変換されたデジタルデータ、動画データなどを格納する。
【００２８】
カードＩ／Ｆ３２は、外部記録媒体３３とデジタルカメラ本体との間のデータ交換を制御する。外部記録媒体３３は、コンパクトフラッシュ（登録商標）、メモリースティック、ＳＤカード等からなる着脱可能な記録媒体であり、撮影された親画像（オリジナル画像）を格納する。外部接続用Ｉ／Ｆ３４は、ＵＳＢコネクター用スロットなどからなり、パーソナルコンピュータなどと接続され、撮影した画像データの転送などに用いられる。ＲＡＭ３５は、制御部（ＣＰＵ）２０の制御に必要な各種パラメータや、複数の外部記録媒体３３に対してそれぞれの外部記録媒体に記録されている画像データのファイル名とそのサムネイルの一覧を記憶する。
【００２９】
図２は、本第１実施形態によるデジタルカメラ１のＲＡＭ３５のデータ構成を示す概念図である。ＲＡＭ３５は、図２に示すように、ＲＡＭ３５には、外部記録媒体３３を識別するためのカード識別情報３５−１、３５−２、…毎に、その外部記録媒体３３内に記録されている画像データのファイル名３５−１−１、…とその画像データのサムネイル３５−２−１、…とが対応付けられて記憶されている。
【００３０】
図３は、本第１実施形態によるデジタルカメラ１の外部記録媒体３３のデータ構成を示す概念図である。外部記録媒体３３には、外部記録媒体３３を識別するためのカード識別情報３３−１と、該外部記録媒体３３に対する画像データの更新日時３３−２と、記録されている画像データ（１つ以上複数）３３−３とが記録されている。
【００３１】
Ａ−２．第１実施形態の動作
次に、上述した第１実施形態の動作について説明する。
図４は、本第１実施形態によるデジタルカメラの動作を説明するためのフローチャートである。また、図５は、本第１実施形態のデジタルカメラにおける表示例を示す模式図である。まず、カードＩ／Ｆ３２に外部記録媒体（カード）３３が挿入されたか否かを判断し（ステップＳ１０）、外部記録媒体（カード）３３が挿入されていない場合には、外部記録媒体（カード）３３が未挿入である旨を表示部２５に表示し（ステップＳ１２）、外部記録媒体（カード）３３の挿入を促す。
【００３２】
一方、外部記録媒体（カード）３３が挿入されている場合には、外部記録媒体（カード）３３の電源をオンとし（ステップＳ１４）、外部記録媒体（カード）３３からカード識別情報を読み込み（ステップＳ１６）、カード識別情報があるか否かを判断する（ステップＳ１８）。そして、外部記録媒体（カード）３３にカード識別情報が記録されている場合には、更新日時を読み込み（ステップＳ２０）、現在日時と更新日時とを比較し（ステップＳ２２）、双方の差が所定時間（例えば、１週間）以内であるか否かを判断する（ステップＳ２４）。
【００３３】
そして、現在日時と更新日時との差が所定時間（例えば、１週間）以内である場合には、外部記録媒体（カード）３３内のデータに変更がないと判断し、ＲＡＭ３５から、該外部記録媒体（カード）３３のカード識別情報に対応付けて記憶していた、サムネイルを読み出して、図５に示すように、表示部２５に表示する（ステップＳ２６）。次に、終了操作を検出したか否かを判断し（ステップＳ２８）、終了操作が検出されない場合には、サムネイル表示を継続する。一方、終了操作を検出した場合には、外部記録媒体（カード）３３の更新日時を更新して書き込み（ステップＳ３０）、当該処理を終了する。
【００３４】
一方、ステップＳ２４で、現在日時と外部記録媒体（カード）３３に記録されている更新日時との差分が所定時間（例えば、１週間）以内でなかった場合には、更新が必要である旨を表示部２５に警告表示する（ステップＳ３２）。次に、更新指示操作が検出されたか否かを判断し（ステップＳ３４）、更新指示操作が検出されない場合には、何もせず、当該処理を終了する。一方、更新指示操作が検出された場合には、外部記録媒体（カード）３３から画像データを読み込み（ステップＳ３６）、各画像データのサムネイルを取得するか、作成し（ステップＳ３８）、カード識別情報とファイル名とサムネイルとを関連付けて、ＲＡＭ３５に保存（更新）する（ステップＳ４０）。その後、当該処理を終了する。
【００３５】
また、ステップＳ１８で、外部記録媒体（カード）３３にカード識別情報が記録されていないと判断された場合には、過去に作成したカード識別情報（ＩＤ）に重複しない新たにカードＩＤを作成し（ステップＳ４２）、外部記録媒体（カード）３３から記録されている画像データを読み込み（ステップＳ４４）、各画像データのサムネイルを取得するか、作成し（ステップＳ４６）、新たに作成したカード識別情報とファイル名とサムネイルとを関連付けて、ＲＡＭ３５に保存（更新）する（ステップＳ４８）。その後、当該処理を終了する。
【００３６】
上述した第１実施形態によれば、外部記録媒体３４の更新日時に基づいて、最近内容を確認したものであるか、あるいは、時間が経過して古いもの、すなわち、記録されている画像データが書き換えられている可能性があるかを判断し、時間が経過したものについては、その旨を通知するようにしたので、ユーザが誤認することを防ぐことができる。
【００３７】
Ｂ．第１実施形態の変形例
次に、上述した第１実施形態の変形例について説明する。
上述した第１実施形態では、現在日時と更新日時を比較した結果、その差が所定時間内であるか否かで、外部記録媒体（カード）３３内の画像データが既に更新されている可能性について判断した。本第１実施形態の変形例では、その差が所定時間内である場合、その差の大きさに応じて、サムネイルの表示形態を変えるようにする。
【００３８】
図６及び図７は、本第１実施形態の変形例によるサムネイル表示例を示す模式図である。図６に示す場合には、例えば、現在日時と更新日時を比較した結果、その差が所定時間内である場合、その差に応じて、サムネイルのサイズを変えるようにし、所定時間に近づくほど（更新日時が古いほど）、サムネイルのサイズを小さくして表示する。これにより、ユーザは、当該外部記録媒体（カード）３３に記録されている画像データの古さを容易に視認することが可能となる。
【００３９】
また、図７に示す場合には、例えば、現在日時と更新日時を比較した結果、その差が所定時間内である場合、その差に応じて、サムネイルのコントラストを変えるようにし、所定時間に近づくほど（更新日時が古いほど）、サムネイルのコントラストを低くして表示する。これにより、ユーザは、当該外部記録媒体（カード）３３に記録されている画像データの古さを容易に視認することが可能となる。なお、コントラスト以外にも、色合いをセピア色に変えるようにしてもよい。
【００４０】
上述した第１実施形態の変形例によれば、外部記録媒体３４の更新日時に基づいて、最近内容を確認したものであるか、あるいは、時間が経過して古いもの、すなわち、記録されている画像データが書き換えられている可能性があるかを判断し、時間が経過したものについては、その旨をサムネイルの表示形態を変更するようにしたので、ユーザは、外部記録媒体３４に記録されている画像データの古さを容易に確認することができる。
【００４１】
Ｃ．第２実施形態
次に、本発明の第２実施形態について説明する。
Ｃ−１．第２実施形態の構成
図８は、本第２実施形態によるデジタルカメラの構成を示すブロック図である。なお、図１に対応する部分には同一の符号を付けて説明を省略する。図８において、図１の構成と異なる点は、本第２実施形態では、外部記録媒体との通信にＲＦＩＤシステムを用いており、デジタルカメラ１は、ＲＦＩＤリーダ４２を備えており、外部記録媒体４３は、ＲＦＩＤタグ４３−１を備えている。ＲＦＩＤシステムでは、外部記録媒体４３をＲＦＩＤリーダ４２（実際にはデジタルカメラ１本体）に近接させると、ＲＦＩＤリーダ４２とＲＦＩＤタグ４３−１との間で自動的に通信が開始されるようになっている。
【００４２】
図９は、本第２実施形態によるデジタルカメラ１のＲＡＭ３５のデータ構成を示す概念図である。本第２実施形態では、デジタルカメラ１のＲＡＭ３５には、複数の外部記録媒体（カード）４３に記録されている画像データの情報を、外部記録媒体（カード）４３毎に、画像データの撮影間隔に応じてグループ化して保存している。ＲＡＭ３５には、図９に示すように、外部記録媒体４３を識別するためのカード識別情報３５−１、３５−２、…毎に、その外部記録媒体３３内に記録されている画像データのファイル名３５−１−１、…とその画像データのサムネイル３５−２−１、…とが対応付けられて記憶されていることに加えて、画像データを撮影間隔でグループ化し、各グループの代表画像データのサムネイル３５−１−３が記憶されている。
【００４３】
図１０は、本第２実施形態における画像データのグループ化について説明するための概念図である。ここで、画像データのグループ化について説明する。図示の例では、撮影時刻「１０：００」から１５分間で９枚、撮影時刻「１１：００」から３０分間で６枚、撮影時刻「１３：００」から１５分間で３枚、次の１５分間で２枚、次の１５分間で４枚、次の１５分間で３枚、撮影されている。なお、１つのグループに属する画像データは、最大４〜９枚とする。これにより、１つのグループに属する画像データのサムネイルを１画面上に表示することが可能になり、画面の切り替えなどの操作が不要になり都合がよい。
【００４４】
このように、グループ化するのは、撮影間隔が短いということは、撮影対象が多い、すなわち、印象に残る場面である可能性が高いと推測できるためであり、その代表画像データのサムネイルを一覧表示することで、印象の残った場面を容易に選択することができるようになる。代表画像データは、ユーザ操作により選択するようにしてもよいが、本第２実施形態では、各画像データの撮影日時から撮影間隔を取得し、該撮影間隔に従って自動的にグループ化し、その最も若い撮影日時の画像データを代表画像データとする。
【００４５】
Ｃ−２．第２実施形態の動作
次に、上述した第２実施形態の動作について説明する。
図１１は、本第２実施形態によるデジタルカメラの動作を説明するためのフローチャートである。また、図１３及び図４は、本第２実施形態のデジタルカメラにおける表示例を示す模式図である。まず、ＲＦＩＤリーダ４２により外部記録媒体（カード）４３のＲＦＩＤタグ４３−１を検出することにより、外部記録媒体（カード）４３が検出されたか否かを判断し（ステップＳ６０）、外部記録媒体（カード）４３が検出されない場合には、その他の処理へ進む（ステップＳ６２）。
【００４６】
一方、外部記録媒体（カード）４３が検出された場合には、外部記録媒体（カード）４３からカード識別情報を読み込み（ステップＳ６４）、カード識別情報があるか否かを判断する（ステップＳ６６）。そして、外部記録媒体（カード）４３にカード識別情報が記録されている場合には、更新日時を読み込み（ステップＳ６８）、現在日時と更新日時とを比較し（ステップＳ７０）、双方の差が所定時間（例えば、１週間）以内であるか否かを判断する（ステップＳ７２）。
【００４７】
そして、現在日時と更新日時との差が所定時間（例えば、１週間）以内である場合には、外部記録媒体（カード）４３内のデータに変更がないと判断し、ＲＡＭ３５から、該外部記録媒体（カード）４３のカード識別情報に対応付けて記憶していた、代表画像データのサムネイルを読み出して、図１３に示すように、表示部２５に表示する（ステップＳ７４）。次に、代表画像データのサムネイルのいずれかを選択する選択操作が検出されたか否かを判断し（ステップＳ７６）、選択操作が検出されない場合には、ステップＳ７４に戻り、代表画像データのサムネイルの表示を継続する。
【００４８】
一方、代表画像データのサムネイルのいずれか（図１３のＴＮ）を選択する選択操操作が検出された場合には、図１４に示すように、選択された代表画像データのグループに属する画像データのサムネイルを表示部２５に表示する（ステップＳ７８）。次に、終了操作を検出したか否かを判断し（ステップＳ８０）、終了操作が検出されない場合には、サムネイル表示を継続する。一方、終了操作を検出した場合には、外部記録媒体（カード）４３の更新日時を更新して書き込み（ステップＳ８２）、当該処理を終了する。
【００４９】
一方、ステップＳ７２で、現在日時と外部記録媒体（カード）４３に記録されている更新日時との差分が所定時間（例えば、１週間）以内でなかった場合には、更新が必要である旨を表示部２５に警告表示する（ステップＳ８４）。次に、更新指示操作が検出されたか否かを判断し（ステップＳ８６）、更新指示操作が検出されない場合には、何もせず、当該処理を終了する。一方、更新指示操作が検出された場合には、外部記録媒体（カード）４３から画像データを読み込み（ステップＳ８８）、該外部記録媒体（カード）４３に記録されている画像データのグループ化と、各グループの代表画像データの選択、代表画像データを含む各画像データのサムネイル作成など、各画像データのサムネイルを取得するか、作成し（ステップＳ９０）、カード識別情報と、代表画像データのサムネイルと、ファイル名とサムネイルとを関連付けて、ＲＡＭ３５に保存（更新）する（ステップＳ９２）。その後、当該処理を終了する。
【００５０】
また、ステップＳ６６で、外部記録媒体（カード）４３にカード識別情報が記録されていないと判断された場合には、過去に作成したカード識別情報（ＩＤ）に重複しない新たにカードＩＤを作成し（ステップＳ９４）、外部記録媒体（カード）４３から記録されている画像データを読み込み（ステップＳ９６）、該外部記録媒体（カード）４３に記録されている画像データのグループ化と、各グループの代表画像データの選択、代表画像データを含む各画像データのサムネイル作成など、各画像データのサムネイルを取得するか、作成し（ステップＳ９８）、カード識別情報と、代表画像データのサムネイルと、ファイル名とサムネイルとを関連付けて、ＲＡＭ３５に保存（更新）する（ステップＳ１００）。その後、当該処理を終了する。
【００５１】
図１２は、上述したサムネイルの作成処理を説明するためのフローチャートである。
まず、外部記録媒体（カード）４３に記録されている各画像データの撮影日時を取得し（ステップＳ１１０）、前述したように、撮影間隔に基づいて画像データをグループ分けし（ステップＳ１１２）、各グループ内の画像データ群の中から代表画像データを抽出し（ステップＳ１１４）、代表画像データのサムネイルを作成するとともに（ステップＳ１１６）、他の画像データのサムネイルを作成する（ステップＳ１１８）。そして、全てのグループに対して処理が終了したか否かを判断し（ステップＳ１２０）、全てのグループに対してサムネイル（代表画像データを含む）の作成が終了すると、上述したメインルーチンに戻る。
【００５２】
上述した第２実施形態によれば、外部記録媒体３４の更新日時に基づいて、最近内容を確認したものであるか、あるいは、時間が経過して古いもの、すなわち、記録されている画像データが書き換えられている可能性があるかを判断し、時間が経過したものについては、その旨をサムネイルの表示形態を変更するようにしたので、ユーザは、外部記録媒体３４に記録されている画像データの古さを容易に確認することができる。
【００５３】
また、本第２実施形態によれば、デジタルカメラ１と外部記録媒体４３とは、ＲＦＩＤシステムで、無線通信により情報を送受信するので、外部記録媒体４３をカードスロットに装着して確認する手間を省くことができる。
【００５４】
なお、上述した実施形態においては、外部記録媒体（カード）３３、４３のみに日時情報を記録するようにしたが、これに限らず、デジタルカメラ１のＲＡＭ３５に、カード識別情報に対応付けて記憶するようにしてもよい。これにより、外部記録媒体（カード）３３、４３から日時情報を受信する必要がなくなり、送受信に係る情報量が少なくても済むという効果が得られる。
【図面の簡単な説明】
【００５５】
【図１】本発明の第１実施形態によるデジタルカメラの構成を示すブロック図である。
【図２】本第１実施形態によるデジタルカメラ１のＲＡＭ３５のデータ構成を示す概念図である。
【図３】本第１実施形態によるデジタルカメラ１の外部記録媒体３３のデータ構成を示す概念図である。
【図４】本第１実施形態によるデジタルカメラの動作を説明するためのフローチャートである。
【図５】本第１実施形態のデジタルカメラにおける表示例を示す模式図である。
【図６】本第１実施形態の変形例によるサムネイル表示例を示す模式図である。
【図７】本第１実施形態の変形例によるサムネイル表示例を示す模式図である。
【図８】本第２実施形態によるデジタルカメラの構成を示すブロック図である。
【図９】本第２実施形態によるデジタルカメラ１のＲＡＭ３５のデータ構成を示す概念図である。
【図１０】本第２実施形態における画像データのグループ化を説明するための概念図である。
【図１１】本第２実施形態によるデジタルカメラの動作を説明するためのフローチャートである。
【図１２】本第２実施形態によるサムネイルの作成処理を説明するためのフローチャートである。
【図１３】本第２実施形態のデジタルカメラにおける表示例を示す模式図である。
【図１４】本第２実施形態のデジタルカメラにおける表示例を示す模式図である。
【符号の説明】
【００５６】
１  デジタルカメラ
１０  画像取得部
１１  レンズ
１２  シャッタ
１３  ＬＰＦ
１４  ドライバ
１５  アナログ信号処理部
１６  撮像センサ
１７  サンプリング／信号増幅処理部
１８  Ａ／Ｄコンバータ
２０  制御部（ＣＰＵ）
２２  プレビューエンジン
２３  Ｄ／Ａコンバータ
２４  ドライバ
２５  表示部
２６  イメージバッファ
２７  キー操作部
２７１  タッチパネル
２８  デジタル信号処理部
２９  画像圧縮／伸張処理部
３０  プログラムメモリ
３１  画像メモリ
３２  カードＩ／Ｆ
３３  外部記録媒体
３４  外部接続用Ｉ／Ｆ
３５  ＲＡＭ
【図１】
0004986264.tif 000002
【図２】
0004986264.tif 000003
【図３】
0004986264.tif 000004
【図４】
0004986264.tif 000005
【図５】
0004986264.tif 000006
【図６】
0004986264.tif 000007
【図７】
0004986264.tif 000008
【図８】
0004986264.tif 000009
【図９】
0004986264.tif 000010
【図１０】
0004986264.tif 000011
【図１１】
0004986264.tif 000012
【図１２】
0004986264.tif 000013
【図１３】
0004986264.tif 000014
【図１４】
0004986264.tif 000015